(57)【要約】【課題】同一面内でケースパッキンとキャップパッキンが必要な構造の場合でも、小型化を実現可能にするのと同時に、デザインの自由度の制限を回避する電子機器筐体用パッキン及びケース構造並びに電子機器を提供すること。【解決手段】電子機器筐体を構成するフロントケースパーツ２１とリアケースパーツ２２との間に介挿される環状のケースパッキン３２の少なくとも一の領域に、前記フロントケースパーツとリアケースパーツとに跨って形成されるコネクタ用開口部３６と、該コネクタ用開口部を着脱自在に蓋するコネクタキャップ３６との間に介挿される環状のキャップパッキンが、前記領域の両端を結ぶ仮想直線を跨ぐ態様の分岐部３２ａ，３２ｂとして一体立設されている。【選択図】図２
2010141588.tif 000002
【特許請求の範囲】
【請求項１】
電子機器筐体を構成する第１のケースパーツと第２のケースパーツとの間に介挿される環状のケースパッキンの少なくとも一の領域に、前記第１のケースパーツと前記第２のケースパーツとに跨って形成される開口部と、該開口部を着脱自在に蓋するキャップとの間に介挿される環状のキャップパッキンが、前記領域の両端を結ぶ仮想直線を跨ぐ態様で一体立設されていることを特徴とする電子機器筐体用パッキン。
【請求項２】
前記キャップパッキンは、前記ケースパッキンの前記領域の端部から分岐されて形成されていることを特徴とする請求項１記載の電子機器筐体用パッキン。
【請求項３】
前記キャップパッキンは、前記仮想直線に対して両側に対称に形成されていることを特徴とする請求項１又は２記載の電子機器筐体用パッキン。
【請求項４】
前記ケースパッキン及び前記キャップパッキンは、防水弾性部材であることを特徴とする請求項１、２又は３記載の電子機器筐体用パッキン。
【請求項５】
前記開口部は、電子機器筐体内の部品を操作するために開口することを特徴とする請求項１乃至４の何れか一に記載の電子機器筐体用パッキン。
【請求項６】
前記開口部は、電子機器筐体内に外部部品を装着するために開口することを特徴とする請求項１乃至４の何れか一に記載の電子機器筐体用パッキン。
【請求項７】
第１のケースパーツと第２のケースパーツとがケースパッキンを介在させて組み立てられるケース構造であって、
前記第１のケースパーツと前記第２のケースパーツとに跨って形成される開口部と、該開口部との間にキャップパッキンを介在させて当該開口部を蓋するキャップとを備えて、
前記キャップパッキンは、前記ケースパッキンの少なくとも一の領域の両端を結ぶ仮想直線を跨ぐ態様で一体立設されていることを特徴とするケース構造。
【請求項８】
前記キャップパッキンは、前記ケースパッキンの前記領域の端部から分岐されて形成されていることを特徴とする請求項７記載のケース構造。
【請求項９】
前記キャップパッキンは、前記仮想直線に対して両側に対称に形成されていることを特徴とする請求項７又は８記載のケース構造。
【請求項１０】
前記ケースパッキン及び前記キャップパッキンは、防水弾性部材であることを特徴とする請求項７、８又は９記載のケース構造。
【請求項１１】
前記開口部は、電子機器筐体内の部品を操作するために開口することを特徴とする請求項７乃至１０の何れか一に記載のケース構造。
【請求項１２】
前記開口部は、電子機器筐体内に外部部品を装着するために開口することを特徴とする請求項７乃至１０の何れか一に記載のケース構造。
【請求項１３】
第１のケースパーツと第２のケースパーツとの間にケースパッキンを介在させて組み立てることにより各種部品を内部に実装するケースが構成される電子機器であって、
前記第１のケースパーツと前記第２のケースパーツとに跨って形成される開口部と、該開口部との間にキャップパッキンを介在させて当該開口部を蓋するキャップとを備えて、
前記キャップパッキンは、前記ケースパッキンの少なくとも一の領域の両端を結ぶ仮想直線を跨ぐ態様で一体立設されていることを特徴とする電子機器。
【請求項１４】
前記キャップパッキンは、前記ケースパッキンの前記領域の端部から分岐されて形成されていることを特徴とする請求項１３記載の電子機器。
【請求項１５】
前記キャップパッキンは、前記仮想直線に対して両側に対称に形成されていることを特徴とする請求項１３又は１４記載の電子機器。
【請求項１６】
前記ケースパッキン及び前記キャップパッキンは、防水弾性部材であることを特徴とする請求項１３、１４又は１５記載の電子機器。
【請求項１７】
前記開口部は、電子機器筐体内の部品を操作するために開口することを特徴とする請求項１３乃至１６の何れか一に記載の電子機器。
【請求項１８】
前記開口部は、電子機器筐体内に外部部品を装着するために開口することを特徴とする請求項１３乃至１６の何れか一に記載の電子機器。
【発明の詳細な説明】
【技術分野】
【０００１】
この発明は、電子機器筐体用パッキン及びケース構造並びに電子機器に係り、詳しくは、ケースの防水等をするパッキンが要因の小型化の妨げやデザインの自由度の低下を回避することのできる電子機器筐体用パッキン及びケース構造並びに電子機器に関する。
【背景技術】
【０００２】
電子機器は、ケースの内部に各種部品を実装する際にその内部を開放／閉塞することを目的として、ケースが複数のケースパーツに分割されている。また、利用時に操作する部品の操作口は、ケース外面に開口させてキャップパーツで開放／閉塞するようになっている。このケースに防水機能を備えさせるためには、ケースパーツ間の分割箇所や、操作口とキャップパーツとの間にパッキンを介在させることにより防水性や防塵性を確保している。
【０００３】
しかるに、電子機器の場合には、このケースパーツの分割箇所毎にパッキンを介在させるのでは、そのパッキン分だけ並列方向に重なって大型化してしまうとともに、部品点数が多くなって作業性が悪い、という課題があった。例えば、図５に示すように、操作筐体ケース１０１と表示筐体ケース１０２とを開閉自在に連結する携帯電話機の場合には、その操作筐体ケース１０１の短尺側面１０１ｃにフロントケースパーツ１０３とリアケースパーツ１０４の分割箇所の縁部１０３ａ、１０４ａが形成されてゴム製のケースパッキン１０５を挟み込むことにより防水性や防塵性を確保している。また、その短尺側面１０１ｃには、プリント配線基板１０６に実装されている外部接続用コネクタ１０７のコネクタ用開口部１０８が開口しており、そのコネクタ用開口部１０８を塞ぐコネクタキャップ（キャップパーツ）１０９との間にキャップパッキン１１０を挟み込んで防水性や防塵性を確保している。これでは、図６に示すように、ケースパッキン１０５の１本とキャップパッキン１１０の２本が短尺側面１０１の高さ方向に重なって厚くなってしまうとともに、部品点数が増加して管理や組立作業が煩雑になってしまう。
【０００４】
この課題を解消することを目的として、例えば、特許文献１では、ケースパッキンとキャップパッキンとを一体化することにより、部品点数の増加や大型化を回避することが提案されている。
【特許文献１】実開平０４−０２０２６８号公報
【発明の開示】
【発明が解決しようとする課題】
【０００５】
しかしながら、特許文献１に記載の構造にあっては、図５及び図６に示す携帯電話機に適用したとしても、ケースパッキン１０５の一部とキャップパッキン１１０の一部とを共通にして一体化するだけである。言い換えると、ケースパッキン１０５とキャップパッキン１１０のそれぞれが別個に重なることをなくすことで、電子機器の厚さが増大することを回避することができるだけである。すなわち、コネクタキャップ１０９で開閉するコネクタ用開口部１０８は、フロントケースパーツ１０３とリアケースパーツ１０４の縁部１０３ａ、１０４ａと共に短尺側面１０１ｃ内に存在することから、ケースパッキン１０５を介在させる縁部１０３ａ、１０４ａをその短尺側面１０１ｃの片側に寄せる必要がある。すると、操作筐体ケース１０１の短尺側面１０１ｃの端辺側の外面を角張った形状にせざるを得ず、デザインの自由度が制限されてしまう、という問題があった。
【０００６】
なお、この問題は、ケースパーツ間の縁部にケースパッキンを挟み込む必要がない、言い換えると、防水・防塵機能を備えていない電子機器においても同様に発生するが、特に、昨今の携帯電話機などの電子機器に対する小型化やデザイン性が重視されるのと同時に防水・防塵機能の要求に伴って顕在化してきている。
【０００７】
この発明は、上述の事情に鑑みてなされたもので、同一面内でケースパッキンとキャップパッキンが必要な構造の場合でも、小型化を実現可能にするのと同時に、デザインの自由度の制限を回避することのできる電子機器筐体用パッキン及びケース構造並びに電子機器を提供することを目的とする。
【課題を解決するための手段】
【０００８】
上記課題を解決するために、この発明の構成は、電子機器筐体を構成する第１のケースパーツと第２のケースパーツとの間に介挿される環状のケースパッキンの少なくとも一の領域に、前記第１のケースパーツと前記第２のケースパーツとに跨って形成される開口部と、該開口部を着脱自在に蓋するキャップとの間に介挿される環状のキャップパッキンが、前記領域の両端を結ぶ仮想直線を跨ぐ態様で一体立設されていることを特徴としている。
【発明の効果】
【０００９】
この発明の構成によれば、キャップパッキンをケースパッキンの延在方向の両側に跨る形状に一体形成することができると共に、そのキャップで蓋する開口部を第１及び第２のケースパーツの縁部の延在方向の両側に跨る開口形状に形成することができる。したがって、別体のケースパッキンとキャップパッキンとが重なって嵩張ってしまうことを回避して小型化を容易に促進することができると共に、互いに突き合わせる第１及び第２のケースパーツの縁部がケースの角部などに寄せられてしまうことを回避してケースデザインの自由度を向上させることができる。
【発明を実施するための最良の形態】
【００１０】
電子機器筐体を構成する第１のケースパーツと第２のケースパーツとの間に介挿される環状のケースパッキンの少なくとも一の領域に、前記第１のケースパーツと前記第２のケースパーツとに跨って形成される開口部と、該開口部を着脱自在に蓋するキャップとの間に介挿される環状のキャップパッキンが、前記ケースパッキンの前記領域の端部から分岐されて該領域の両端を結ぶ仮想直線を跨ぐ態様で一体立設されている。
以下、図面を参照して、この発明の一実施形態について詳細に説明する。
【実施形態】
【００１１】
図１は、この発明の一実施形態である折り畳み式の携帯電話機の外観構成を示す斜視図、図２は、同携帯電話機の全体構成を分解して示す分解斜視図、また、図３は、同携帯電話機のパッキン構造を拡大して示す拡大断面図である。
【００１２】
図１及び図２において、携帯電話機は、操作筐体ケース１１と表示筐体ケース１２とがヒンジ部１３を介して開閉自在に連結されて、折り畳み式になっている。操作筐体ケース１１には、各種のボタン群１４が配列されており、表示筐体ケース１２には、表示画面１５が配設されている。操作筐体ケース１１と表示筐体ケース１２は、ヒンジ部１３のヒンジユニット１６の回動軸を中心にして回動させることにより、ボタン群１４と表示画面１５を対面させて重ねる閉状態にすることができる一方、そのボタン群１４と表示画面１５が離隔して伸長されている開状態にすることができる。なお、ヒンジユニット１６は、図示していないトルク発生機構を内蔵しており、表示筐体ケース１２の操作筐体ケース１１に対する挟角が所望の角度になるように機能する。
【００１３】
操作筐体ケース１１は、各種ボタン群１４の配設面１１ａとその背面１１ｂ（図３を参照）とを大面積にする一方、その周囲を短尺側面１１ｃにする薄型に形成されている。この操作筐体ケース１１は、短尺側面１１ｃの高さ（厚さ）方向の略中央１周を上下に分割して、略同等の深さの箱型のフロントケースパーツ２１とリアケースパーツ２２に分割されている。これにより、操作筐体ケース１１は、短尺側面１１ｃを１周するフロントケースパーツ２１とリアケースパーツ２２の縁部２１ａ、２２ａを離隔させたり、互いに突き合わせて嵌着することにより、内部に各種部品類を搭載するプリント配線基板２５の実装作業可能に開放／閉塞するようになっている。
【００１４】
同様に、表示筐体ケース１２は、表示画面１５の配設面１２ａとその背面（不図示）とを大面積にする一方、その周囲を短尺側面１２ｃにする薄型に形成されている。この表示筐体ケース１２は、短尺側面１２ｃの厚さ方向の略中央１周を上下に分割して、略同等の深さの箱型のフロントケースパーツ２３とリアケースパーツ２４に分割されている。これにより、表示筐体ケース１２は、短尺側面１２ｃを１周するフロントケースパーツ２３とリアケースパーツ２４の縁部２３ａ、２４ａを離隔／嵌着させることにより、内部に各種部品類を搭載するプリント配線基板２６の実装作業可能に開放／閉塞することができるようになっている。
【００１５】
操作筐体ケース１１と表示筐体ケース１２は、内部に実装するプリント配線基板２５、２６をフレキシブル配線基板２７を介して接続されている。ヒンジ部１３は、操作筐体ケース１１のフロントケースパーツ２１端部の両側に連設されているヒンジ筒１３ａと、表示筐体ケース１２のフロントケースパーツ２３端部の中央に連設されているヒンジ筒１３ｂとを連続する状態に連結して、ヒンジユニット１６及び断面英文字Ｃ形状の筒部品１７を組み込むことにより構成されている。このヒンジ部１３のヒンジ筒１３ｂは、下側を開口する半円形開口部１３ｃが形成されており、この半円形開口部１３ｃは、リアケースパーツ２４の端部に連設されている半円形状部１３ｄが嵌まり込んで塞ぐようになっている。フレキシブル配線基板２７は、断面Ｃ形状の筒部品１７の内部を通って操作筐体ケース１１と表示筐体ケース１２の内部に進入してプリント配線基板２５、２６を電気的に接続している。
【００１６】
また、操作筐体ケース１１は、リアケースパーツ２２に電池２８を収納するための電池用開口部２９が開口されており、この電池用開口部２９は、電池カバー３１を嵌合することにより塞ぐようになっている。
【００１７】
この操作筐体ケース１１と表示筐体ケース１２は、フロントケースパーツ２１、２３とリアケースパーツ２２、２４の縁部２１ａ〜２４ａに、ゴム材料又は樹脂材料などの防水性を備える弾性部材からなるケースパッキン３２、３３をそれぞれ挟み込む状態で嵌着することにより各ケース間の隙間を塞いで防水機能を備えるようになっている。また、操作筐体ケース１１の電池用開口部２９は、電池カバー３１との間に電池パッキン３４を挟み込んで嵌着することによりその間の隙間を塞いで防水機能を備えるようになっている。なお、このケースパッキン３２、３３は、操作筐体ケース１１と表示筐体ケース１２の連結箇所においてはフレキシブル配線基板２７を一体成型して通過させることにより防水性能を確保している。
【００１８】
そして、操作筐体ケース１１は、内部に実装するプリント配線基板２５が外部接続する外部接続用コネクタ（部品）３５を搭載しており、この外部接続用コネクタ３５への接続操作を行なうことができるように外部に露出させるコネクタ用開口部３６が形成されている。このコネクタ用開口部３６は、コネクタキャップ（キャップパーツ）３７を嵌合することにより塞ぐようになっている。なお、ここでは、外部接続用コネクタ３５を外部に露出させるために開口するコネクタ用開口部３６を一例に説明するが、これに限らず、例えば、ＩＣカードなどの外部部品を挿入して装着することができるように開口する開口部にも適用することができる。
【００１９】
ところで、操作筐体ケース１１は、コネクタ用開口部３６の形成位置では、フロントケースパーツ２１とリアケースパーツ２２の縁部２１ａ、２２ａが連続して互いに離隔する方向に屈曲することにより、そのコネクタ用開口部３６を開口するように形成されている。すなわち、フロントケースパーツ２１とリアケースパーツ２２には、縁部２１ａ、２２ａの延長線（仮想直線）に対して両側に対称に半開口部３８、３９が開口して、双方に跨るようにコネクタ用開口部３６が形成されている。
【００２０】
一方、ケースパッキン３２は、同様に、コネクタ用開口部３６の形成位置では、フロントケースパーツ２１とリアケースパーツ２２の半開口部３８、３９の周縁部３８ａ、３９ａに沿うように分岐して互いに離隔（拡開）する方向に屈曲することにより、そのコネクタ用開口部３６の形成領域を跨ぐように一体立設されている。すなわち、ケースパッキン３２は、フロントケースパーツ２１とリアケースパーツ２２の縁部２１ａ、２２ａの間に挟み込まれる本体部から分岐して、その分岐部３２ａ、３２ｂがキャップパッキンとして機能する。これにより、コネクタ開口部３６は、ケースパッキン３２で妨げることなく開口しており、そのケースパッキン３２の分岐部３２ａ、３２ｂが半開口部３８、３９の周縁部３８ａ、３９ａのそれぞれとコネクタキャップ３７の周縁部３７ａとの間に挟み込まれて防水性能を確保している。
【００２１】
これにより、操作筐体ケース１１は、図３に示すように、フロントケースパーツ２１とリアケースパーツ２２の縁部２１ａ、２２ａの一部に周縁部３８ａ、３９ａを形成することにより、その間にコネクタ用開口部３６（半開口部３８、３９）を開口させて、コネクタキャップ３７で開放／閉塞することができる。したがって、この操作筐体ケース１１では、短尺側面１１ｃの高さ方向の中央にフロントケースパーツ２１とリアケースパーツ２２の縁部２１ａ、２２ａを形成することができる。なお、この図３でコネクタキャップ３７に隣接する直線Ｌは、フロントケースパーツ２１とリアケースパーツ２２の縁部２１ａ、２２ａの形成位置を示している。
【００２２】
そして、操作筐体ケース１１は、フロントケースパーツ２１とリアケースパーツ２２の縁部２１ａ、２２ａの間にケースパッキン３２を挟み込んで防水性を確保している。同時に、コネクタキャップ３７の周縁部３７ａでの防水性は、その縁部２１ａ、２２ａに連続する周縁部３８ａ、３９ａとの間にケースパッキン３２の分岐部（キャップパッキン）３２ａ、３２ｂを挟み込んで確保することができる。したがって、この操作筐体ケース１１では、ケースパッキン３２の一部品のみにして、短尺側面１１ｃ側でパッキンが不必要に重なることを回避することができ、キャップパッキンを別部品として管理・取付作業することをなくしてコスト削減をすることができる。
【００２３】
このように、この実施形態によれば、操作筐体ケース１１のフロントケースパーツ２１とリアケースパーツ２２の縁部２１ａ、２２ａに連続して半開口部３８、３９（周縁部３８ａ、３９ａ）を形成することにより、短尺側面１１ｃの中央にコネクタ用開口部３６を開口させることができる。同時に、そのフロントケースパーツ２１とリアケースパーツ２２の縁部２１ａ、２２ａの間を防水するケースパッキン３２を分岐した分岐部３２ａ、３２ｂを一体成型することによりキャップパッキンとしての機能も持たせることができる。したがって、操作筐体ケース１１では、パッキンが重複して嵩張ることなく、さらに小型化・薄型化を図ることができると共に短尺側面１１ｃと配設面１１ａ又は背面１１ｂとの境界（短尺側面１１ｃの端辺側）からフロントケースパーツ２１とリアケースパーツ２２の縁部２１ａ、２２ａを離隔させて自由な形状にデザインすることができる。
【００２４】
この実施形態の他の態様としては、図４に示すように、フロントケースパーツ２１とリアケースパーツ２２の短尺側面１１ｃと配設面１１ａ又は背面１１ｂとの境界部分の外面を湾曲形状に形成して丸みを持たせるなど自由にデザインすることができる。
【００２５】
以上、この発明の一実施形態を、図面を参照して詳述してきたが、具体的な構成はこの実施形態に限られるものではなく、この発明の要旨を逸脱しない範囲の設計の変更等があってもこの発明に含まれる。例えば、分割箇所の縁部は、短尺面に限るものではなく、大面積に形成されている面内に配設されていても良い。また、ケースパッキンにキャップパッキンを一体形成する箇所は、一箇所に限られるものではなく、複数個所に形成することもできる。また、そのキャップパッキンの形状も四角形状に限らず、円形、楕円形など開口部の形状に合わせて形成すればよい。また、ケースパッキン及びキャップパッキンは、防水性だけでなく、防塵性を備えさせることを目的として設けることもできる。
【産業上の利用可能性】
【００２６】
この発明は、携帯電話機に限らず、例えば、ＰＤＡ（携帯情報端末）、ビデオカメラ、デジタルカメラ等の携帯電子機器に広く適用できるとともに、携帯型に限らずに、固定型の電子機器にも広く適用することができる。
【図面の簡単な説明】
【００２７】
【図１】この発明の一実施形態である折り畳み式の携帯電話機の外観構成を示す斜視図である。
【図２】同携帯電話機の全体構成を分解して示す分解斜視図である。
【図３】同携帯電話機のパッキン構造を拡大して示す拡大断面図である。
【図４】同携帯電話機の他の態様を示す図であり、そのパッキン構造を採用して外観形状をデザインした場合を拡大して示す拡大断面図である。
【図５】同携帯電話機の関連技術を示す図であり、その全体構成を分解して示す分解斜視図である。
【図６】同携帯電話機のパッキン構造を拡大して示す一部拡大縦断面図である。
【符号の説明】
【００２８】
１１        操作筐体ケース
１１ｃ        短尺側面（短尺面）
１２        表示筐体ケース
２１        フロントケースパーツ
２１ａ、２２ａ        縁部
２２        リアケースパーツ
３５        外部接続用コネクタ（部品）
３２        ケースパッキン
３２ａ、３２ｂ        分岐部（キャップパッキン）
３６        コネクタ用開口部
３７        コネクタキャップ（キャップパーツ）
２７ａ        周縁部
３８、３９        半開口部
３８ａ、３９ａ        周縁部
【図１】
2010141588.tif 000003
【図２】
2010141588.tif 000004
【図３】
2010141588.tif 000005
【図４】
2010141588.tif 000006
【図５】
2010141588.tif 000007
【図６】
2010141588.tif 000008